(57)【要約】      （修正有）【課題】自動車等に搭載されるバッテリーポストに繰り返し取り付けることができるバッテリーターミナルを提供する。【解決手段】周部を半径方向に分断した締付間隙２１１を有し、分断された一端側において、周方向に延出した第一延出締付部２１２と、他端側において、第一延出締付部と互い違いとなるように延出した第二延出締付部と、を有する筒状締付部２１と,第一延出締付部の外面に連接し、第一貫通孔２２３を有する第一把持部２２と,を有するターミナル本体２と,第二延出締付部の外面に連接し、第一貫通孔の一部と重なる第二貫通孔２３３を有する第二把持部２３と,挿通前の第一貫通孔と第二貫通孔との重なる領域よりも狭い外径から広い外径へ漸増するテーパ部３２を有するものであって、第一貫通孔および第二貫通孔を挿通する際に、テーパ部で重なる領域を拡開して、締付間隙を狭めることで、バッテリーポストを締付ける締付手段３とを備える。【選択図】図１
2015005480.tif 000002
【特許請求の範囲】
【請求項１】
周部を半径方向に分断した締付間隙を有し、バッテリーポストを挿通する筒状のものであって、前記分断された一端側において、周方向に延出した第一延出締付部と、前記分断された他端側において、前記第一延出締付部と互い違いとなるように、周方向に延出した第二延出締付部と、を有する筒状締付部と,
前記第一延出締付部の外面に連接し、前記バッテリーポストの挿通方向に貫通形成された第一貫通孔を有する第一把持部と,
前記第二延出締付部の外面に連接し、前記バッテリーポストの挿通方向に貫通形成され、前記バッテリーポストの挿通方向視において、前記第一貫通孔の一部と重なる第二貫通孔を有する第二把持部と,を有するバッテリーターミナル本体と,
前記バッテリーポストの挿通方向視における挿通前の前記第一貫通孔と前記第二貫通孔との重なる領域よりも狭い外径から前記重なる領域よりも広い外径へ漸増するテーパ部を有するものであって、前記第一貫通孔および前記第二貫通孔を挿通する際に、前記テーパ部で前記重なる領域を拡開して、前記第一把持部が連接した前記第一延出締付部と前記第二把持部が連接した前記第二延出締付部を交差するように動かし、前記筒状締付部の前記締付間隙を狭めることで、前記筒状締付部の内周面で前記バッテリーポストを締付ける締付手段と,
を備えることを特徴とするバッテリーターミナル。
【請求項２】
請求項１に記載のバッテリーターミナルにおいて、
前記第二延出締付部は、前記第一延出締付部と同じ幅であり、前記バッテリーポストの挿通方向において前記第一延出締付部に隣接して位置し,
前記第一把持部は、前記第一延出締付部の前記第二延出締付部側の側端部における外面に連接しており,
前記第二把持部は、前記第二延出締付部の前記第一延出締付部側の側端部における外面に連接していることを特徴とするバッテリーターミナル。
【請求項３】
請求項２に記載のバッテリーターミナルにおいて、
前記第一把持部は、前記第一延出締付部の前記第二延出締付部側の側端部における外面に連接し、前記第一延出締付部の接線方向に延びる板状であって、前記第一貫通孔が形成された第一板把持部と、前記第一板把持部の長手方向の端部において前記第一板把持部の長手方向と直交する方向に突出し、前記第一延出締付部の円周方向の端部と対向する第一突出把持部と、を有し,
前記第二把持部は、前記第二延出締付部の前記第一延出締付部側の側端部における外面に連接し、前記第二延出締付部の接線方向に延びる板状であって、前記第二貫通孔が形成され、前記第一板把持部の一部と重なる第二板把持部と、前記第二板把持部の長手方向の端部において前記第二把持部の長手方向と直交する方向に突出し、前記第二延出締付部の円周方向の端部および前記第一突出把持部と対向する第二突出把持部と、を有することを特徴とするバッテリーターミナル。
【発明の詳細な説明】
【技術分野】
【０００１】
本発明は、自動車等に搭載されるバッテリーポストに電線を接続するのに用いられるバッテリーターミナルに関する。
【背景技術】
【０００２】
従来、バッテリーから突出したバッテリーポストにバッテリーターミナルを取り付ける作業は、バッテリーポストの外周に工具を入れて行われていた。しかし、近年、バッテリーポストの外周には、多くの部品が設置されるため、バッテリーポストの外周に工具を入れるスペースを確保することが難しい問題があった。このため、バッテリーポストの外周に工具を挿入しなくても、バッテリーポストに取り付けることができるバッテリーターミナルが鋭意研究されている（例えば、特許文献１および特許文献２）。
【０００３】
特許文献１（従来例１）のバッテリーターミナル１０１は、図９に示すように、バッテリーターミナル本体部１２４と締め付け手段１２５を有する。バッテリーターミナル本体部１２４は、バッテリーポスト（不図示）を挿入するためのバッテリーポスト挿入穴１２３と、外縁１３０とバッテリーポスト挿入穴１２３とに亘ってバッテリーターミナル本体部１２４を切り欠いた切り欠き部１３１と、切り欠き部１３１を挟んだバッテリーターミナル本体部１２４の両側に跨って形成された第２のボルト挿通穴１３２と、を有する。
【０００４】
締め付け手段１２５は、ブラケット１３４とボルト１３５とナット１３６とを備える。ブラケット１３４は、帯状に形成され、ボルト１３５を挿通可能なボルト挿通穴１３９を有するブラケット本体１３７と、ブラケット本体１３７の両端部から立設するとともにブラケット本体１３７から離れるにしたがって互いに離れる方向に傾斜した一対の傾斜部１３８と、を有している。
【０００５】
このような構成のバッテリーターミナル１０１は、ボルト１３５及びナット１３６の螺合にしたがって、ブラケット本体１３７がバッテリーターミナル本体部１２４の上面に近づき、傾斜部１３８の内面が切り欠き部１３１を挟んだバッテリーターミナル本体部１２４の両側の外縁１２２を摺接する。そして、これら外縁１２２を互いに近づく方向に締め付けて切り欠き部１３１の幅を縮め、バッテリーポスト挿入穴１２３を縮径し、バッテリーポスト挿入穴１２３の内面とバッテリーポストの外面を密着する。このように、特許文献１のバッテリーターミナル１０１は、バッテリーポストの周囲に十分な作業スペースを設けなくても、上方からナット１３６を締付ける動作で、バッテリーターミナル１０１をバッテリーポストに取り付けることができる。
【０００６】
特許文献２（従来例２）のバッテリーターミナル２２１は、図１０に示すように、固定部２２３と、一対の締付板２２５と、ボルト２３７と、ナット２４１と、ワッシャー２３９と、一対のスペーサ２４３と、を有する。固定部２２３は、バッテリー電極（不図示）が挿入可能な筒状をしており、周部を半径方向で分断した締付け間隙２３１が形成されている。一対の締付板２２５は、締付け間隙２３１を挟む固定部２２３の両端に連接し、締付け間隙２３１を挟み対向して形成されている。この締付板２２５には、固定部２２３の軸方向に沿って長い長孔が形成されている。スペーサ２４３は、多角形状をしており、ボルト２３７を貫通する貫通穴２４５が形成されている。
【０００７】
このような構成のバッテリーターミナル２２１は、図１０に示すように、スペーサ２４３、一対の締付板２２５、スペーサ２４３、ワッシャー２３９の順に配列して、ボルト２３７を挿通し、ボルト２３７の先端をナット２４１で螺合することで、固定部２２３の締付け間隙２３１を狭め、固定部２２３をバッテリー電極に締付ける。この際、ボルト２３７の頭部２３７a側のスペーサ２４３を上方に向けて厚みが徐々に厚くなる傾斜とし、ナット２４１側のスペーサ２４３を下方に向けて厚みが徐々に厚くなる傾斜としているため、ボルト２３７が水平面に対して、右斜め上方に傾き、ナット２４１を締付ける作業を上方から行うことができる。すなわち、特許文献２のバッテリーターミナル２２１に関しても、バッテリー電極の周囲に十分な作業スペースを設けずに、バッテリーターミナル２２１をバッテリー電極に取り付けることができる。
【先行技術文献】
【特許文献】
【０００８】
【特許文献１】特許第４０８２５６１号公報
【特許文献２】特許第３９４９２０７号公報
【発明の概要】
【発明が解決しようとする課題】
【０００９】
しかしながら、特許文献１に示すバッテリーターミナル１０１では、図１１に示すように、傾斜部１３８が外縁１２２を摺接し、切欠き部１３１の幅を狭め始める際に、外縁１２２における切欠き部１３１側の端部を大きく傾斜させて、切欠き部１３１側の外縁１２２と傾斜部１３８との間に隙間が生じ、傾斜部１３８の内面の一部のみで外縁１２２を摺接していた。このような状態（図１１に示す状態）においては、切欠き部１３１の幅を狭める際に生じる応力は、外縁１２２を摺接する傾斜部１３８の一部のみに加わるため、傾斜部１３８を押し広げる過剰な力が働き、傾斜部１３８とブラケット本体１３７を連接する連接部への負担が大きかった。このため、バッテリーターミナル１０１をバッテリーポストに繰り返し取り付ける場合には、ブラケット本体１３７と傾斜部１３８の連接部が疲労し、ブラケット本体１３７に対する傾斜部１３８の角度が広くなり、傾斜部１３８を外縁１２２に摺接させても、切欠き部１３１の幅を十分に狭めることができず、バッテリーターミナル１０１をバッテリーポストに取り付け難い問題があった。
【００１０】
また、特許文献２においても、図１２（A）および（B）に示すように、ボルト２３７に対してナット２４１を螺合して、固定部２２３の締付け間隙２３１を狭め始める際に、締付板２２５の開放端部側が大きく傾斜するため、締付板２２５の一部のみにボルト２３７およびナット２４１による応力が加わり、締付板２２５と固定部２２３の連接部に過度の負担が加わっていた。このため、このバッテリーターミナル２２１に関しても、バッテリー電極に繰り返し取り付け難い問題があった。
【００１１】
本発明は、上述した事情に鑑みてなされるものであって、バッテリーポストに繰り返し取り付けることができるバッテリーターミナルを提供することを目的とする。
【課題を解決するための手段】
【００１２】
上記課題を解決するためになされた請求項１に記載の発明は、周部を半径方向に分断した締付間隙を有し、バッテリーポストを挿通する筒状のものであって、前記分断された一端側において、周方向に延出した第一延出締付部と、前記分断された他端側において、前記第一延出締付部と互い違いとなるように、周方向に延出した第二延出締付部と、を有する筒状締付部と,前記第一延出締付部の外面に連接し、前記バッテリーポストの挿通方向に貫通形成された第一貫通孔を有する第一把持部と,前記第二延出締付部の外面に連接し、前記バッテリーポストの挿通方向に貫通形成され、前記バッテリーポストの挿通方向視において、前記第一貫通孔の一部と重なる第二貫通孔を有する第二把持部と, を有するバッテリーターミナル本体と,前記バッテリーポストの挿通方向視における挿通前の前記第一貫通孔と前記第二貫通孔との重なる領域よりも狭い外径から前記重なる領域よりも広い外径へ漸増するテーパ部を有するものであって、前記第一貫通孔および前記第二貫通孔を挿通する際に、前記テーパ部で前記重なる領域を拡開して、前記第一把持部が連接した前記第一延出締付部と前記第二把持部が連接した前記第二延出締付部を交差するように動かし、前記筒状締付部の前記締付間隙を狭めることで、前記筒状締付部の内周面で前記バッテリーポストを締付ける締付手段と,を有することを特徴とする。
【００１３】
請求項１に記載の発明によれば、バッテリーポストに締付けるための応力を、第一把持部と第一延出締付部の連接部および第二把持部と第二延出締付部の連接部の全体で常に受けることで、バッテリーターミナルをバッテリーポストに繰り返し取り付けることができる。
【００１４】
請求項２に記載の発明は、請求項１に記載のバッテリーターミナルにおいて、前記第二延出締付部は、前記第一延出締付部と同じ幅であり、前記バッテリーポストの挿通方向において前記第一延出締付部に隣接して位置し,前記第一把持部は、前記第一延出締付部の前記第二延出締付部側の側端部における外面に連接しており,前記第二把持部は、前記第二延出締付部の前記第一延出締付部側の側端部における外面に連接していることを特徴とする。
【００１５】
請求項２に記載の発明によれば、締付手段による第一把持部および第二把持部を動かす力をバッテリーターミナル本体２の高さ方向の略中央に加える構成とすることで、筒状締付部に対して、左右バランス良く加えることができる。また、締付手段により第一貫通孔および第二貫通孔を圧接する際に、締付手段の挿通方向の力を第一把持部および第二把持部で一体となって受けることで、第一把持部および第二把持部が、締付手段の挿通方向にたわむことを防ぐことができる。
【００１６】
請求項３に記載の発明は、請求項２に記載のバッテリーターミナルにおいて、前記第一把持部は、前記第一延出締付部の前記第二延出締付部側の側端部における外面に連接し、前記第一延出締付部の接線方向に延びる板状であって、前記第一貫通孔が形成された第一板把持部と、前記第一板把持部の長手方向の端部において前記第一板把持部の長手方向と直交する方向に突出し、前記第一延出締付部の円周方向の端部と対向する第一突出把持部と、を有し,前記第二把持部は、前記第二延出締付部の前記第一延出締付部側の側端部における外面に連接し、前記第二延出締付部の接線方向に延びる板状であって、前記第二貫通孔が形成され、前記第一板把持部の一部と重なる第二板把持部と、前記第二板把持部の長手方向の端部において前記第二把持部の長手方向と直交する方向に突出し、前記第二延出締付部の円周方向の端部および前記第一突出把持部と対向する第二突出把持部と、を有する、ことを特徴とする。
【００１７】
請求項３に記載の発明によれば、第一突出把持部および第二突出把持部をつまむ動作により、第一延出締付部および第二延出締付部を離間する方向へ動かすことで、締付間隙を広げて、簡単にバッテリーポストからバッテリーターミナルを取り外すことができる。
【発明の効果】
【００１８】
本発明によれば、バッテリーポストに締付けるための応力を、第一把持部と第一延出締付部の連接部および第二把持部と第二延出締付部の連接部の全体で常に受けることで、バッテリーターミナルをバッテリーポストに繰り返し取り付けることができる。
【図面の簡単な説明】
【００１９】
【図１】第一実施形態のバッテリーターミナルを展開した斜視図である。
【図２】図１における締付け前のバッテリーターミナル本体の上面図である。
【図３】図１における締付け前のバッテリーターミナル本体の正面図である。
【図４】第一実施形態の締付け時のバッテリーターミナルの斜視図である。
【図５】図４のA−A断面を示す断面図である。
【図６】締付け完了時におけるバッテリーターミナル本体の上面図である。
【図７】第二実施形態の締付け時のバッテリーターミナルの斜視図である。
【図８】図７のB-B断面を示す断面図である。
【図９】従来例１におけるバッテリーターミナルを展開した斜視図である。
【図１０】従来例２におけるバッテリーターミナルを展開した斜視図である。
【図１１】従来例１における締付ける作業を開始した時のバッテリーターミナルを示す上面図である。
【図１２】（A）従来例２におけるバッテリー電極にバッテリーターミナルを締付ける前の状態を示す概略上面図であり、（B）は、（A）の状態から締付ける作業を開始した後の状態を示す概略上面図である。
【発明を実施するための形態】
【００２０】
（第１実施形態）
以下、図面を参照して本発明の第一実施形態に係るバッテリーターミナル１を説明する。
図１は第一実施形態のバッテリーターミナル１を展開した斜視図であり、図２は図１における締付け前のバッテリーターミナル本体２の上面図であり、図３は図１における締付け前のバッテリーターミナル本体２の正面図である。
なお、バッテリーターミナル本体２の長手方向をｘ軸、バッテリーターミナル本体２の幅方向をｙ軸、バッテリーターミナル本体２の高さ方向をｚ軸とする。
【００２１】
バッテリーターミナル１は、図１に示すように、バッテリーポスト（不図示）に取り付け可能なバッテリーターミナル本体２と、締付挿通部３（締付手段）および締付螺合部４とを有する。バッテリーポストは、自動車等に搭載されるバッテリー（不図示）に突設された電極であって、主に鉛を素材として上端側に向けて次第に径の小さくなったテーパ状の円錐台である。
【００２２】
バッテリーターミナル本体２は、例えば、導電性を有する金属板よりなるものであり、図１に示すように、筒状締付部２１と、筒状締付部２１の外面に連接する第一把持部２２および第二把持部２３と、筒状締付部２１の第一把持部２２および第二把持部２３の反対側の外面に連接する電気接続部２４と、を有する。
【００２３】
筒状締付部２１は、図１乃至図３に示すように、バッテリーポストを挿通する筒状をしており、周部の半径方向に鍵状に折曲して分断した締付間隙２１１が形成されている。筒状締付部２１は、分断された一端側（図３中C側）に形成され、周方向に延出した第一延出締付部２１２と、分断された他端側（図３中D側）に形成され、第―延出締付部２１２と互い違いとなるように、周方向に延出した第二延出締付部２１３と、を有する。
【００２４】
第一把持部２２は、図１および図３に示すように、ｙ−ｚ断面視L字状をしており、第一板把持部２２１と、第一突出把持部２２２を有する。第一板把持部２２１は、第一延出締付部２１２の外面に連接し、第一延出締付部２１２の接線方向（ｙ軸負方向）に延びる板状であって、バッテリーポストの挿通方向（ｚ軸方向）に貫通形成された第一貫通孔２２３を有する。第一突出把持部２２２は、第一板把持部２２１の長手方向の端部において第一板把持部２２１の長手方向と直交する方向（ｚ軸正方向）に突出して形成されており、第一延出締付部２１２の円周方向の端部（図３中C側の端部）に対向して位置する。
【００２５】
第二把持部２３は、図１および図３に示すように、ｙ−ｚ断面視L字状をしており、第二板把持部２３１と、第二突出把持部２３２を有する。第二板把持部２３１は、第二延出締付部２１３の外面に連接し、第二延出締付部２１３の接線方向（ｙ軸正方向）に延びる板状であって、バッテリーポストの挿通方向に貫通形成される第二貫通孔２３３を有する。バッテリーポストの挿通方向視（ｘ−ｙ平面視）において、第二板把持部２３１は第一板把持部２２１と重なり、第二貫通孔２３３は第一貫通孔２２３の一部と重なる。第二突出把持部２３２は、第二板把持部２３１の長手方向の端部において第二板把持部２３１の長手方向と直交する方向（ｚ軸正方向）に突出して形成されており、第二延出締付部２１３の円周方向の端部（図３中D側の端部）および第一突出把持部２２２に対向して位置する。
なお、図１および３に示すように、第一貫通孔２２３および第二貫通孔２３３は、例えば円孔として形成されている。
【００２６】
ここで、第一貫通孔２２３と第二貫通孔２３３の重なる領域とは、図２で示すように、バッテリーポストの挿通方向視において、第一貫通孔２２３における第一突出把持部２２２側の内周面（第一延出締付部２１２の円周方向における端部側の第一貫通孔２２３の内周面）と、第二貫通孔２３３における第二突出把持部２３２側の内周面（第二延出締付部２１３の円周方向における端部側の第二貫通孔２３３の内周面）とにより形成された領域である。このように第一貫通孔２２３と第二貫通孔２３３の重なる領域を形成することで、後述の締付挿通部３が第一貫通孔２２３に挿通した際に、第一貫通孔２２３における第一突出把持部２２２側の内周面を後述のテーパ部３２で押圧して、第一把持部２２を左方向（ｙ軸負方向）へ移動させて、締付間隙２１１を狭める方向に第一延出締付部２１２を動かす。同様に、後述の締付挿通部３が第二貫通孔２３３に挿通した際には、第二貫通孔２３３における第二突出把持部２３２側の内周面をテーパ部３２で押圧して、右方向（ｙ軸正方向）へ移動させて、締付間隙２１１を狭める方向へ第二延出締付部２１３を動かす。
【００２７】
このようにして、本実施形態のバッテリーターミナル１は、後述の締付挿通部３の上下方向（z軸方向）の挿通動作を、第一延出締付部２１２および第二延出締付部２１３の左右方向（ｙ軸方向）の動作へ変換して、筒状締付部２１の内周面でバッテリーポストを締付けることができる。
【００２８】
また、第二延出締付部２１３は、第一延出締付部２１２と同じ幅（ｚ軸方向の長さ）として、バッテリーポストの挿通方向において第一延出締付部２１２に隣接して位置しても良い。この際、第一把持部２２は、第一延出締付部２１２の第二延出締付部２１３側の側端部における外面に連接し、第二把持部２３は、第二延出締付部２１３の第一延出締付部２１２側の側端部における外面に連接して形成すると良い。
【００２９】
この構成により、第一把持部２２と第一延出締付部２１２の連接領域および、第二把持部２３と第二延出締付部２１３の連接領域を、バッテリーターミナル本体２の高さ方向（ｚ軸方向）の略中央に形成することができるため、これらの第一把持部２２および第二把持部２３を左右方向（ｙ軸方向）へ動作させた際に、筒状締付部２１に対して左右のバランス良く応力を伝達して、締付間隙２１１を狭くすることができる。
【００３０】
また、この構成により、バッテリーポスト挿通方向（ｚ軸方向）において、第一把持部２２および第二把持部２３が重なるように位置することで、後述の締付挿通部３を第一貫通孔２２３及び第二貫通孔２３３に挿通した際の力を第一把持部２２と第二把持部２３で一体となって受けることで、第一把持部２２および第二把持部２３がｚ軸方向にたわむことを防ぐことができる。
【００３１】
電気接続部２４は、図１に示すように、筒状締付部２１から水平方向（ｘ−ｙ平面方向）に延びる平面部２４１と、平面部２４１から上方（ｚ軸正方向）に立設するスタッドボルト２４２を有する。スタッドボルト２４２には、ヒュージブルリンクやスタータなどを接続したケーブル端末に固定されたLA端子（不図示）が取り付けられている。
【００３２】
締付挿通部３は、図１および図３に示すように、第一貫通孔２２３および第二貫通孔２３３を挿通するものであり、ストレート部３１とテーパ部３２を有する。ストレート部３１は、バッテリーポストの挿通方向視における挿通前の第一貫通孔２２３と第二貫通孔２３３の重なる領域よりも狭い外径とする円柱状をしており、外周に螺合溝が形成されている。テーパ部３２は、円柱状の外径（挿通前の第一貫通孔２２３と第二貫通孔２３３の重なる領域よりも狭い外径）から挿通前の第一貫通孔２２３と第二貫通孔２３３の重なる領域よりも広い外径となるように、下方（ｚ軸負方向）へ進むにしたがって漸増して形成されている。
【００３３】
締付螺合部４は、図１に示すように、第一貫通孔２２３および第二貫通孔２３３に挿通した締付挿通部３の先端に螺合するものであり、ナット部４１および押圧板部４２を有する。ナット部４１の内周面には、螺合溝を形成されており、ストレート部３１に螺合する。押圧板部４２は、第一貫通孔２２３および第二貫通孔２３３よりも広い板状をしており、バッテリーポストへの挿通方向に挿通部貫通孔４２１が形成されている。この押圧板部４２は、バッテリーポストへの挿通方向視において、挿通部貫通孔４２１が第一貫通孔２２３および第二貫通孔２３３と重なるように、第一板把持部２２１の上面に載置される。
【００３４】
このような構成により、本実施形態のバッテリーターミナル１は、締付挿通部３を第二貫通孔２３３、第一貫通孔２２３および挿通部貫通孔４２１の順に挿通した後に、ストレート部３１の先端からナット部４１を螺合することで、テーパ部３２で第一貫通孔２２３および第二貫通孔２３３を押圧して、第一貫通孔２２３と第二貫通孔２３３の重なる領域を拡開する。そして、本実施形態のバッテリーターミナル１は、テーパ部３２により第一貫通孔２２３と第二貫通孔２３３の重なる領域を徐々に拡開して、第一把持部２２が連接した第一延出締付部２１２と第二把持部２３が連接した第二延出締付部２１３を交差するように動かす。第一延出締付部２１２と第二延出締付部２１３が交差するように動くと、筒状締付部２１の締付間隙２１１が狭まり、バッテリーターミナル１をバッテリーポストに締付けることができる。このように、本実施形態のバッテリーターミナル１は、単に締付挿通部３を第二貫通孔２３３、第一貫通孔２２３および挿通部貫通孔４２１の順に挿通させて、ナット部４１を螺合させる簡単な作業により、バッテリーポストにバッテリーターミナル１を取り付けることができる。
【００３５】
また、本実施形態のバッテリーターミナル１は、テーパ部３２により動かされる、第一貫通孔２２３を有する第一板把持部２２１および第二貫通孔２３３を有する第二板把持部２３１は、第一延出締付部２１２および第二延出締付部２１３の外面に連接して形成されているため、筒状締付部２１の締付間隙２１１を狭めるのに必要な応力を、第一板把持部２２１と第一延出締付部２１２の連接領域および第二板把持部２３１と第二延出締付部２１３の連接領域の広い面積で常に受けることができる。
【００３６】
また、本実施形態のバッテリーターミナル１は、締付挿通部３のテーパ部３２により動かされる第一板把持部２２１および第二板把持部２３１が第一延出締付部２１２および第二延出締付部２１３の外面にそれぞれ連接して形成されているため、第一板把持部２２１および第一延出締付部２１２と第二板把持部２３１および第二延出締付部２１３とが常に一体的に動き、筒状締付部２１の締付間隙２１１を狭め、筒状締付部２１の内周面でバッテリーポストを締付けることができる。すなわち、本実施形態のバッテリーターミナル１は、従来例２で示した図１１の状態とは異なり、バッテリーポストにバッテリーターミナル１を締付ける際に、第一板把持部２２１と第一延出締付部２１２の連接領域、および第二板把持部２３１と第二延出締付部２１３の連接領域、に隙間が生じないため、これらの連接領域の一部のみに過度の応力が加わることがなく、これらの連接領域を疲労させることを防ぐことができる。
【００３７】
このように、本実施形態のバッテリーターミナル１は、バッテリーポストに対して繰り返し取り付ける場合においても、第一板把持部２２１と第一延出締付部２１２の連接領域、および第二板把持部２３１と第二延出締付部２１３の連接領域、のそれぞれに対して過度の疲労が生じないため、テーパ部３２により動かされる第一板把持部２２１と第二板把持部２３１の移動量を着実に第一延出締付部２１２および第二延出締付部２１３に伝達して、バッテリーポストにバッテリーターミナル１を取り付けることができる。
【００３８】
このようにして、本実施形態のバッテリーターミナル１は、バッテリーポストに繰り返し取り付けることができる。
【００３９】
次に、本実施形態のバッテリーターミナル１をバッテリーポストに取り付ける作業および取り外す作業について説明する。
【００４０】
まず、バッテリーターミナル１をバッテリーポストに取り付ける作業について説明する。作業前の状態として、スタッドボルト２４２にLA端子（不図示）が取り付けられているものとする。
【００４１】
図４は第一実施形態の締付け時のバッテリーターミナル１の斜視図であり、図５は図４のA−A断面を示す断面図であり、図６は締付け完了時におけるバッテリーターミナル本体２の上面図である。
【００４２】
作業者は、図２に示す締付け前のバッテリーターミナル本体２の上面に押圧板部４２を載置する。作業者は、第二板把持部２３１の下方から、ストレート部３１を先にして第二貫通孔２３３、第一貫通孔２２３および挿通部貫通孔４２１を挿通し、挿通部貫通孔４２１の先端をナット部４１で軽く螺合する。この状態において、第一貫通孔２２３および第二貫通孔２３３の内側にはストレート部３１が位置するため、特に第一貫通孔２２３および第二貫通孔２３３がテーパ部３２で押圧されることはない。すなわち、この段階においては、バッテリーターミナル本体２は、図２に示す締付け前の状態から変わらない。
【００４３】
作業者は、第一突出把持部２２２および第二突出把持部２３２を両側からつまみ、第一延出締付部２１２と第二延出締付部２１３を互いに離間させる方向に移動させ、締付間隙２１１を広げて、バッテリーターミナル１をバッテリーポストに取り付ける。作業者は、ナット部４１を回動し、ナット部４１に対する締付挿通部３の螺合を進行させて、締付挿通部３を上方へ移動させる。このように締付挿通部３が上方へ移動すると、図４および５に示すように、テーパ部３２が第二貫通孔２３３の第二突出把持部２３２側の内周面を押圧して、第二貫通孔２３３と一体的に第二板把持部２３１を右側（ｙ軸正方向）へ移動させ、第一貫通孔２２３と第二貫通孔２３３の重なる領域を拡開する。さらに、作業者が、ナット部４１を回動して、ナット部４１に対する締付挿通部３の螺合が進行すると、テーパ部３２が第一突出把持部２２２側の内周面を押圧して、第一貫通孔２２３と一体的に第一板把持部２２１を左側（ｙ軸負方向）へ移動させ、第一貫通孔２２３および第２貫通孔の重なり領域をさらに拡開する。
【００４４】
作業者は、バッテリーターミナル本体２が図６に示すような状態となり、テーパ部３２の下方端部が第二貫通孔２３３の外周面に当接するまで、ナット部４１を回動して、バッテリーターミナル１の取り付ける作業を終了する。
【００４５】
このように、第一板把持部２２１の左側への移動および第二板把持部２３１の右側への移動に伴って、第一板把持部２２１の外面に連接した第一延出締付部２１２および第二板把持部２３１の外面に連接した第二延出締付部２１３を動かして、筒状締付部２１の締付間隙２１１を狭めることで、バッテリーポストを筒状締付部２１の内周面で十分に締付けることができる。
【００４６】
すなわち、本実施形態のバッテリーターミナル１は、バッテリーターミナル本体２を図２の状態から図６の状態まで変化させることで（締付け後の第一貫通孔２２３と第二貫通孔２３３の重なる領域を、締付け前の第一貫通孔２２３と第二貫通孔２３３の重なる領域よりも広くすることで）、第一延出締付部２１２と第二延出締付部２１３とを互いに交差させるように動かし、筒状締付部２１の締付間隙２１１を狭くして、バッテリーポストに対してバッテリーターミナル１を固定することができる。
【００４７】
また、本実施形態のバッテリーターミナル１は、バッテリーターミナル本体２の上方からナット部４１を取り付ける作業であるため、バッテリーポストの周囲に多くの部品が設置された状態においても、バッテリーターミナル１をバッテリーポストに着実に取り付けることができる。これにより、本実施形態のバッテリーターミナル１は、バッテリーポストの周囲に工具等を挿入するスペースがない状態においても、バッテリーポストにバッテリーターミナル１を取り付けることができる。
【００４８】
次に、本実施形態のバッテリーターミナル１をバッテリーポストから取り外す作業について説明する。作業前の状態として、上記の作業により、バッテリーポストにバッテリーターミナル１を取り付けた状態とする。
【００４９】
作業者は、ナット部４１を緩める方向に回動し、締付挿通部３を下動させて、テーパ部３２による第一貫通孔２２３および第二貫通孔２３３の内周面を押圧された状態を徐々に緩める。ストレート部３１が第一貫通孔２２３および第二貫通孔２３３内に位置するようになると、バッテリーターミナル本体２が図２の状態に戻る。そして、作業者は、第一突出把持部２２２および第二突出把持部２３２をつまみ、第一延出締付部２１２と第二延出締付部２１３を互いに離間させる方向へ動かし、筒状締付部２１の締付間隙２１１を広げ、バッテリーターミナル１をバッテリーポストから取り外す。
【００５０】
作業者は、さらにナット部４１を緩める方向へ回動し、締付挿通部３からナット部４１および押圧板部４２を取り外す。そして、作業者は、第一貫通孔２２３および第二貫通孔２３３からも締付挿通部３を取り外し、バッテリーターミナル１を取り外す作業を終了する。
【００５１】
このようにして、作業者は、ナット部４１を緩めて、第一突出把持部２２２および第二突出把持部２３２をつまむ簡単な作業により、本実施形態のバッテリーターミナル１を取り外すことができる。
【００５２】
本実施形態のバッテリーターミナル１は、上記のようにバッテリーターミナル１をバッテリーポストへ取り付ける際、または取り外す際のいずれのときにおいても、第一延出締付部２１２および第二延出締付部２１３の全体を、交差方向または離間方向、へ移動させることで、バッテリーポストに締付ける際に生じる応力を、これらの第一延出締付部２１２および第二延出締付部２１３の全体で受けることができる。
【００５３】
すなわち、本実施形態のバッテリーターミナル１は、従来例２で示した図１２（B）と異なり、筒状締付部２１のある一部分のみで、バッテリーポストに締付ける際に生じる応力を受けることはない。例えば、従来例２では、ボルト２３７とナット２４１を取り外した後に、締付け作業時に過度の負担が締付板２２５の一部分に加わったことで、固定部２２３に対する締付板２２５の角度が変形し、一対の締付板２２５により形成された締付け間隙２３１が元の間隔にもとらず、バッテリー電極からバッテリーターミナル２２１を取り外し難いとする問題が生じていたが、本実施形態のバッテリーターミナル１では、このような問題が生じることはない。つまり、本実施形態のバッテリーターミナル１は、バッテリーポストに締付けたバッテリーターミナル１を取り外した後においては、筒状締付部２１の締付間隙２１１が元の間隔に復元するため、バッテリーポストからバッテリーターミナル１を容易に取り外すことができる。
【００５４】
さらに、本実施形態のバッテリーターミナル１は、第一延出締付部２１２と第二延出締付部２１３を互いに離間させて、筒状締付部２１の締付間隙２１１を広げることを、互いに対向する第一突出把持部２２２と第二突出把持部２３２をつまむ簡単な作業により行うことができる。すなわち、本実施形態のバッテリーターミナル１は、片手で摘まむ作業のみで、筒状締付部２１の内面をバッテリーポストから離間させて、バッテリーポストからバッテリーターミナル１を取り外すことができる。
【００５５】
（第２実施形態）
第２実施形態のバッテリーターミナル１は、第１実施形態におけるバッテリーターミナル１の締付挿通部３および締付螺合部４の構成のみが異なるため、締付挿通部３’および締付螺合部４’の構成のみを説明し、他の構成については第１実施形態と同じ構成であるため説明を省略する。
なお、座標系は第１実施形態と同じものとする。
【００５６】
図７は第二実施形態の締付け時のバッテリーターミナル１の斜視図であり、図８は図７のB-B断面を示す断面図である。
【００５７】
図７および図８に示すように、締付挿通部３’は、一端に螺合溝が形成された公知のボルトである。締付螺合部４’（締付手段）は、テーパナット部４３と押圧板部４２を有する。テーパナット部４３は、円筒状をしており、内周面に螺合溝が形成されており、締付挿通部３’と螺合する。テーパナット部４３の締付挿通部３’側の端部には、バッテリーポストの挿通方向視における挿通前の第一貫通孔２２３と第二貫通孔２３３の重なる領域よりも狭い外径から挿通前の第一貫通孔２２３と第二貫通孔２３３の重なる領域よりも広い外径となるように、上方（ｚ軸方向正方向）へ進むにしたがって漸増するテーパ部４３１が形成されている。
なお、押圧板部４２は、第一実施形態のものと同じであるため、説明を省略する。
【００５８】
次に、第二実施形態のバッテリーターミナル１をバッテリーポストに取り付ける作業について説明する。作業前の状態としては、第一実施形態で説明した状態と同じものとする。
なお、バッテリーポストから第二実施形態のバッテリーターミナル１を取り外す作業については、第一実施形態とほぼ同じ作業であるため、説明を省略する。
【００５９】
作業者は、締付挿通部３’の挿通方向視において、挿通部貫通孔４２１が第二貫通孔２３３および第一貫通孔２２３と重なるように、第二板把持部２３１の下面に押圧板部４２を配置する。作業者は、締付挿通部３’の螺合溝が形成された端部を先にして、押圧板部４２、第二貫通孔２３３、第一貫通孔２２３の順に締付挿通部３’を挿通する。作業者は、これらを挿通した締付挿通部３’の先端にテーパナット部４３を軽く螺合する。
【００６０】
作業者は、この状態のバッテリーターミナル１をバッテリーポストに取り付けて、テーパナット部４３を回動する。テーパナット部４３の回動が進むにしたがって、テーパナット部４３は下方（ｚ軸負方向）へ進み、図７および図８に示すように、テーパ部４３１で第一貫通孔２２３の第一突出把持部２２２の内周面を押圧して、第一把持部２２を左側（ｙ軸負方向）へ移動させ、第一貫通孔２２３と第二貫通孔２３３の重なる領域を拡開する。さらに、テーパナット部４３が下方へ進むと、テーパ部４３１で第二貫通孔２３３の第二突出把持部２３２側の内周面を押圧して、第二把持部２３を右側（ｙ軸正方向）へ移動させ、第一貫通孔２２３と第二貫通孔２３３の重なる領域を拡開する。そして、テーパナット部４３の先端が押圧板部４２に当接するまで、作業者はテーパナット部４３を回動して、バッテリーターミナル１の取り付ける作業を終了する。
【００６１】
このように、テーパ部４３１により第一貫通孔２２３および第二貫通孔２３３の重なる領域を拡開することで、第一延出締付部２１２と第二延出締付部２１３を互いに交差させるように動かし、筒状締付部２１の締付間隙２１１を狭め、筒状締付部２１の内周面でバッテリーポストを十分に締付けることができる。すなわち、第二実施形態のバッテリーターミナル１に関しても、第一実施形態のバッテリーターミナル１と同様に、バッテリーポストを十分に締付けて固定することができる。また、第二実施形態のバッテリーターミナル１に関しても、第一実施形態のバッテリーターミナル１と同様に、バッテリーポストに繰り返し取り付けることができる。
【００６２】
この第二実施形態においては、第一実施形態と異なり、締付挿通部３’として通常のボルトを用いているため、締付挿通部３’を特注部品とする必要がなく、バッテリーターミナル１を製造する費用を低減させることができる。
【００６３】
（他の実施形態）
第一実施形態および第二実施形態において、第一貫通孔２２３および第二貫通孔２３３を円孔として説明したが、特にこれに限られるものではなく、締付挿通部３、３’の挿通動作により押圧される内周面を有する貫通孔であれば、特にこれに限られるものではない。例えば、第一貫通孔２２３および第二貫通孔２３３を断面視（ｘ−ｙ断面視）長方形や多角形をした貫通孔として形成しても良い。
【００６４】
また、第一実施形態および第二実施形態において、第一把持部２２を第一板把持部２２１および第一突出把持部２２２を有するものとし、第二把持部２３を第二板把持部２３１および第二突出把持部２３２を有するものとして説明したが、特にこれに限られるものではなく、第一把持部２２を第一板把持部２２１のみとし、第二把持部２３を第二板把持部２３１のみとする構成としても良い。これにより、第一把持部２２および第二把持部２３の構成を簡略化させて、バッテリーターミナル１を製造する費用を低減することができる。
【００６５】
また、第一実施形態および第二実施形態において、第一板把持部２２１を第一延出締付部２１２の第二延出締付部２１３側の側端部の外面に連接するものとし、第二板把持部２３１を第二延出締付部２１３の第一延出締付部２１２側の側端部の外面に連接するものとして説明したが、特にこれに限られることはなく、バッテリーポストの挿通方向視（ｘ−ｙ平面視）において、第一板把持部２２１に形成された第一貫通孔２２３の一部と第二板把持部２３１に形成された第二貫通孔２３３の一部とが重なるように、第一板把持部２２１が第一延出締付部２１２の外面に連接し、第二板把持部２３１が第二延出締付部２１３の外面に連接する構成であれば良い。
【００６６】
さらに、第一実施形態および第二実施形態において、筒状締付部２１の締付間隙２１１を、周部の半径方向に鍵状に折曲して分断したものとして説明したが、筒状締付部２１を縮径方向または拡径方向に動くように、周部の半径方向を分断したものであれば特にこれに限られるものではない。
【００６７】
本発明は、その精神または主要な特徴から逸脱することなく、他の様々な形で実施することができる。そのため、前述の実施の形態はあらゆる点で単なる例示に過ぎず、限定的に解釈してはならない。本発明の範囲は、特許請求の範囲によって示すものであって、明細書本文には、なんら拘束されない。さらに、特許請求の範囲の均等範囲に属する全ての変形、様々な改良、代替および改質は、すべて本発明の範囲内のものである。
【符号の説明】
【００６８】
１…バッテリーターミナル
２…バッテリーターミナル本体
２１…筒状締付部    ２１１…締付間隙    ２１２…第一延出締付部      ２１３…第二延出締付部
２２…第一把持部    ２２１…第一板把持部    ２２２…第一突出把持部    ２２３…第一貫通孔
２３…第二把持部    ２３１…第二板把持部    ２３２…第二突出把持部    ２３３…第二貫通孔
２４…電気接続部    ２４１…平面部    ２４２…スタッドボルト
３、３’…締付挿通部（締付手段）    ３１…ストレート部    ３２…テーパ部
４、４’…締付螺合部（締付手段）    ４１…ナット部    ４２…押圧板部      ４２１…挿通部貫通孔    ４３…テーパナット部    ４３１…テーパ部
【図１】
2015005480.tif 000003
【図２】
2015005480.tif 000004
【図３】
2015005480.tif 000005
【図４】
2015005480.tif 000006
【図５】
2015005480.tif 000007
【図６】
2015005480.tif 000008
【図７】
2015005480.tif 000009
【図８】
2015005480.tif 000010
【図９】
2015005480.tif 000011
【図１０】
2015005480.tif 000012
【図１１】
2015005480.tif 000013
【図１２】
2015005480.tif 000014